(57)【要約】  梱包部材は、箱状の側壁を形成する第１外包材及び第２外包材を有し、第１外包材は、側壁の外面の一部を形成する第１側面部と、第１側面部の一辺に配置され、第１外包材の情報を示す第１識別部を有する第１屈曲部と、第１屈曲部を介して第１側面部と連結された第１接合部と備え、第２外包材は、第１側面部及び第１屈曲部と連続して第１接合部に接合されており、第２外包材は、側壁の外面の他の一部を形成する第２側面部を備える。
2020161790.tif 000002
【特許請求の範囲】
【請求項１】
箱状の側壁を形成する第１外包材及び第２外包材を有し、
前記第１外包材は、
前記側壁の外面の一部を形成する第１側面部と、
前記第１側面部の一辺に配置され、前記第１外包材の情報を示す第１識別部を有する第１屈曲部と、
前記第１屈曲部を介して前記第１側面部と連結された第１接合部と
を備え、
前記第２外包材は、
前記第１側面部及び前記第１屈曲部と連続して第１接合部に接合されており、
前記第２外包材は、
前記側壁の外面の他の一部を形成する第２側面部
を備えた
梱包部材。
【請求項２】
前記第１識別部は、前記第１接合部及び前記第１屈曲部に跨がる領域に形成された複数の第１識別情報領域に設けられている
請求項１に記載の梱包部材。
【請求項３】
前記第１識別部は、前記第１接合部、前記第１屈曲部、及び前記第１側面部の一部に跨がる領域に形成された複数の第１識別情報領域に設けられている
請求項１に記載の梱包部材。
【請求項４】
前記第１識別部では、色彩、模様、又は色彩及び模様の組み合わせにより、前記複数の第１識別情報領域の少なくとも１つに前記第１外包材の情報が示されている
請求項２又は３に記載の梱包部材。
【請求項５】
前記複数の第１識別情報領域には、文字又は数字が付加されている
請求項２〜４のいずれか一項に記載の梱包部材。
【請求項６】
前記第２側面部は、前記第１側面部と一体形成された
請求項１〜５のいずれか一項に記載の梱包部材。
【請求項７】
前記第２外包材は、
前記第２側面部の一辺に配置され、前記第２外包材の情報を示す第２識別部を有する第２屈曲部と、
前記第２屈曲部を介して、前記第２側面部と連結された第２接合部と
を更に備えた
請求項１に記載の梱包部材。
【請求項８】
前記第２外包材は、
前記第２側面部の一辺に配置され、前記第２外包材の情報を示す第２識別部を有する第２屈曲部と、
前記第２屈曲部を介して、前記第２側面部と連結された第２接合部と
を更に備えた
請求項２又は３に記載の梱包部材。
【請求項９】
前記第２識別部には、前記第２接合部及び前記第２屈曲部に跨がる領域に形成された複数の第２識別情報領域が設けられている
請求項８に記載の梱包部材。
【請求項１０】
前記第２識別部には、前記第２接合部、前記第２屈曲部、及び前記第２側面部の一部に跨がる領域に形成された複数の第２識別情報領域が設けられている
請求項８に記載の梱包部材。
【請求項１１】
前記第１識別部では、色彩、模様、又は色彩及び模様の組み合わせにより、前記複数の第１識別情報領域の少なくとも１つに前記第１外包材の情報が示されている
請求項９又は１０に記載の梱包部材。
【請求項１２】
前記第２識別部では、色彩、模様、又は色彩及び模様の組み合わせにより、前記複数の第２識別情報領域の少なくとも１つに前記第２外包材の情報が示されている
請求項１１に記載の梱包部材。
【請求項１３】
前記複数の第２識別情報領域の少なくとも１つに付加された色彩、模様、又は色彩及び模様の組み合わせは、前記複数の第１識別情報領域の少なくとも１つに付加された色彩、模様、又は色彩及び模様の組み合わせと異なる
請求項１２に記載の梱包部材。
【請求項１４】
前記複数の第１識別情報領域には、文字又は数字が付加されている
請求項９〜１３のいずれか一項に記載の梱包部材。
【請求項１５】
前記複数の第２識別情報領域には、文字又は数字が付加されている
請求項１４に記載の梱包部材。
【発明の詳細な説明】
【技術分野】
【０００１】
本発明は、被梱包物の梱包に用いられる梱包部材に関する。
【背景技術】
【０００２】
特許文献１では、側壁を形成する外包部材と、底部を閉止する複数のフラップとが設けられ、それぞれのフラップに、外包部材の接合不良を識別するための識別マークが付された梱包部材が開示されている。
【先行技術文献】
【特許文献】
【０００３】
【特許文献１】特開２００５−２１２８７０号公報
【発明の概要】
【発明が解決しようとする課題】
【０００４】
特許文献１のような梱包部材は、梱包部材の収容スペースを低減するため、一般的には、折り畳まれた状態で保管されている。また、特許文献１のような梱包部材は、折り畳まれた複数の梱包部材が積み上げられた状態で保管及び納品される。特許文献１の梱包部材では、梱包部材が積み上げられた状態で梱包部材の品質検査が行われる場合、識別マークがフラップに設けられているため、識別マークが隠れてしまい、最上位に位置する梱包部材の識別マークしか視認されない。したがって、特許文献１の梱包部材では、品質検査を行う際に、積み上げられた各々の梱包部材の識別マークを、最上位の梱包部材から順番に確認する作業が生じるため、品質検査の工数が増加するという課題があった。【０００５】
本発明は、上述の課題を解決するものであり、折り畳まれた梱包部材が積み上げられた状態であっても、視認による梱包部材の品質検査を容易に行うことが可能な梱包部材を提供することを目的とする。
【課題を解決するための手段】
【０００６】
本発明の梱包部材は、箱状の側壁を形成する第１外包材及び第２外包材を有し、前記第１外包材は、前記側壁の外面の一部を形成する第１側面部と、前記第１側面部の一辺に配置され、前記第１外包材の情報を示す第１識別部を有する第１屈曲部と、前記第１屈曲部を介して第１側面部と連結された第１接合部とを備え、前記第２外包材は、前記第１側面部及び第１屈曲部と連続して第１接合部に接合されており、前記第２外包材は、前記側壁の外面の他の一部を形成する第２側面部を備える。
【発明の効果】
【０００７】
本発明では、梱包部材が第１屈曲部で折り畳まれることにより、折り畳まれた複数の梱包部材が積み上げられた状態であっても、複数の梱包部材の第１屈曲部の第１識別部を、視認により容易に確認することができる。したがって、本発明では、品質検査を行う際に、積み上げられた各々の梱包部材の第１識別部を、最上位の梱包部材から順番に確認する作業が生じないため、品質検査の工数を低減できる。以上のことから、本発明では、折り畳まれた梱包部材が積み上げられた状態であっても、視認による梱包部材の品質検査を容易に行うことが可能な梱包部材を提供できる。
【図面の簡単な説明】
【０００８】
【図１】本発明の実施の形態に係る梱包部材の外観構造の一例を概略的に示した斜視図である。
【図２】本発明の実施の形態に係る梱包部材の第１外包材の構成を概略的に示す平面展開図である。
【図３】本発明の実施の形態に係る梱包部材の第２外包材の構成を概略的に示す平面展開図である。
【図４】本発明の実施の形態に係る梱包部材の折り畳み前の状態を概略的に示す斜視図である。
【図５】本発明の実施の形態に係る梱包部材の折り畳み後の状態を第１屈曲部の側から見た一例を示した概略図である。
【図６】本発明の実施の形態に係る梱包部材が折り畳まれて積み重ねられた状態を第１屈曲部の側から見た一例を示した概略図である。
【図７】本発明の実施の形態に係る梱包部材が折り畳まれて積み重ねられた状態を第１屈曲部の側から見た別の一例を示した概略図である。
【発明を実施するための形態】
【０００９】
本発明の実施の形態に係る梱包部材１について説明する。図１は、本実施の形態に係る梱包部材１の外観構造の一例を概略的に示した斜視図である。なお、図１を含む以下の図面においては、梱包部材１の各構成部材の寸法の関係及び形状は、実際のものとは異なる場合がある。また、図１を含む以下の図面では、同一の部材若しくは部分又は同一の機能を有する部材若しくは部分には、同一の符号を付すか、又は符号を付すことを省略している。
【００１０】
梱包部材１は、空気調和装置等の大型の被梱包物を梱包する場合、２以上の外包材を組み合わせることにより形成できる。図１では、梱包部材１は、第１外包材１０と、第２外包材２０とを有しており、第１外包材１０及び第２外包材２０は、箱状の側壁を形成している。
【００１１】
第１外包材１０は、箱状の側壁の外面の一部を形成する第１側面部１２と、第１側面部１２の一辺に配置された第１屈曲部１６と、第１屈曲部１６を介して第１側面部１２と連結された第１接合部１４とを有している。すなわち、第１屈曲部１６は、第１側面部１２と第１接合部１４とを連結する領域である。第１側面部１２には、第１屈曲部１６の長手方向と同方向に延在する第１折目部１２ａを設けることができる。第１側面部１２は、第１折目部１２ａで折り曲げることにより、第１装飾面１２ｂと第２装飾面１２ｃとに区画できる。第１装飾面１２ｂ及び第２装飾面１２ｃには、印刷等により、需用者又は現地作業者等のエンドユーザに向けた梱包部材１が梱包する被梱包物の各種情報を示す装飾を施すことができる。
【００１２】
第２外包材２０は、箱状の側壁の外面の他の一部を形成する第２側面部２２を有している。また、第２外包材２０は、第２側面部２２の一辺に配置された第２屈曲部２６と、第２屈曲部２６を介して第２側面部２２と連結された第２接合部２４とを有するものにできる。第２屈曲部２６は、第２側面部２２と第２接合部２４とを連結する領域である。第２側面部２２には、第２屈曲部２６の長手方向と同方向に延在する第２折目部２２ａを設けることができる。第２側面部２２は、第２折目部２２ａで折り曲げることにより、第３装飾面２２ｂと第４装飾面２２ｃとに区画できる。第３装飾面２２ｂ及び第４装飾面２２ｃには、第１装飾面１２ｂ及び第２装飾面１２ｃと同様に、印刷等により、需用者又は現地作業者等のエンドユーザに向けた梱包部材１が梱包する被梱包物の各種情報等を示す装飾を施すことができる。
【００１３】
第２外包材２０は、第１外包材１０に接合される。具体的には、第２外包材２０は、第１外包材１０の第１側面部１２及び第１屈曲部１６と連続して第１接合部１４に接合される。第１外包材１０及び第２外包材２０を接合して組み立てることにより、第１外包材１０の第１装飾面１２ｂ及び第２装飾面１２ｃ、並びに第２外包材２０の第３装飾面２２ｂ及び第４装飾面２２ｃに囲まれた、被梱包物を収容する空間が形成される。図１においては、第１外包材１０の第１接合部１４は、第２外包材２０の第２側面部２２と接合する。また、第２外包材２０の第２接合部２４は、第１外包材１０の第１側面部１２と接合する。接合は、例えば、接着剤の塗布又はステープラによる係留により行われる。
【００１４】
なお、梱包部材１は、上述の構成に限られない。例えば、梱包部材１は、２つの第１外包材１０で箱状の側壁を形成するものとしてもよい。この場合、同一部材の組合せで梱包部材１を形成できるため、製造工数を低減することができる。また、梱包部材１は、第２外包材２０が第１外包材１０と一体形成されたもの、すなわち、第２外包材２０の第２側面部２２が、第１外包材１０の第１側面部１２と一体形成されたものとしてもよい。第２外包材２０の第２側面部２２が、第１外包材１０の第１側面部１２と一体形成された場合、梱包部材１は、第２接合部２４及び第２屈曲部２６を有しないものにできる。
【００１５】
また、梱包部材１では、組み立てた梱包部材１の内部空間を片側又は両側から閉止するフラップ部を、第１外包材１０の第１側面部１２及び第２外包材２０の第２側面部２２に設けたものとしてもよい。
【００１６】
次に、本発明の実施の形態に係る梱包部材１の第１外包材１０のより詳細な構成を、図２を用いて説明する。図２は、本実施の形態に係る梱包部材１の第１外包材１０の構成を概略的に示す平面展開図である。第１外包材１０は、例えば、木型又は金型等によって段ボール等の梱包用素材を打ち抜く、打ち抜き加工によって形成できる。
【００１７】
上述したように、第１外包材１０は、第１側面部１２と、第１側面部１２の一辺に配置された第１接合部１４と、第１側面部１２と第１接合部１４とを連結する第１屈曲部１６とを有している。第１屈曲部１６は、上述したように第１側面部１２と第１接合部１４とを連結する領域であり、第１外包材１０の情報を示す第１識別部１８を有している。
【００１８】
第１識別部１８は、例えば、第１接合部１４及び第１屈曲部１６に跨がった領域に形成された複数の第１識別情報領域１８ａに設けることができる。複数の第１識別情報領域１８ａは、例えば、升目印刷によって区画できる。この構成によれば、第１接合部１４に第１識別部１８が設けられる構成となり、梱包部材１の組立作業者が、第２外包材２０を第１接合部１４に接合する際に、第１識別部１８を容易に視認できる。したがって、この構成によれば、組立作業時の確認工数を低減できるとともに、誤取付け等の作業ミスを低減することができる。
【００１９】
また、第１識別部１８は、図２に示すように、第１接合部１４、第１屈曲部１６、及び第１側面部１２の一部に跨がった領域に形成された複数の第１識別情報領域１８ａに設けることができる。この構成によれば、第１側面部１２の一部に第１識別部１８が設けられる構成となり、梱包作業者が、梱包部材１に被梱包物を収容する際に、第１識別部１８を容易に視認できる。したがって、この構成によれば、梱包作業時の確認工数を低減できるとともに、梱包ミス等を低減することができる。
【００２０】
第１識別部１８では、色彩、模様、又は色彩及び模様の組み合わせにより、複数の第１識別情報領域１８ａの少なくとも１つに、梱包部材１における被梱包物の種類等の第１外包材１０の情報を示すことができる。図２では、複数の第１識別情報領域１８ａのうち、領域Ａ１及び領域Ｂ３に色彩が付された例を示している。第１識別部１８では、模様としては、例えば、塗りつぶし、ドットパターン、ハッチング等を用いることができる。
【００２１】
また、複数の第１識別情報領域１８ａには、文字又は数字を付加することができる。第１外包材１０では、数字又は文字を、全ての第１識別情報領域１８ａに印刷して、どこに色彩等が付されているかを判別し、第１外包材１０の情報を容易に特定できるようにしてもよい。また、第１外包材１０では、例えば、黒等の濃色の色彩等を付した第１識別情報領域１８ａに、白等の淡色の文字又は数字を印刷して、色彩等が付されている位置を判別し、第１外包材１０の情報を容易に特定できるようにしてもよい。
【００２２】
また、複数の第１識別情報領域１８ａは、第１屈曲部１６の長手方向において、複数の識別情報群に分割して、異なる情報を識別できるようにしてもよい。例えば、複数の第１識別情報領域１８ａは、第１外包材１０と第２外包材２０とを識別する第１領域１８ａ１と、梱包部材１における被梱包物の種類等の第１外包材１０の情報を識別する第２領域１８ａ２とに分割できる。例えば、図２では、第１領域１８ａ１は、領域Ａ１、Ａ２を更に有している。また、図２では、第２領域１８ａ２は、領域Ｂ１〜Ｂ８を更に有している。複数の第１識別情報領域１８ａを複数の識別情報群に分割することにより、梱包部材１に関する識別可能な情報量を増加させることができる。
【００２３】
次に、本発明の実施の形態に係る梱包部材１の第２外包材２０のより詳細な構成を、図２を用いて説明する。図２は、本実施の形態に係る梱包部材１の第２外包材２０の構成を概略的に示す平面展開図である。第２外包材２０は、第１外包材１０と同様に、例えば、木型又は金型等によって段ボール等の梱包用素材を打ち抜く、打ち抜き加工によって形成できる。なお、上述したように、梱包部材１は、２つの第１外包材１０で箱状の側壁を形成するものとし、第２外包材２０を用いないものとしてもよい。
【００２４】
上述したように、第２外包材２０は、第１側面部１２と連続する第２側面部２２を有している。また、図３に示すように、第２外包材２０は、第２側面部２２の一辺に配置された第２屈曲部２６と、第２屈曲部２６を介して第２側面部２２と連結された第２接合部２４とを有するものにできる。第２外包材２０の第２屈曲部２６は、上述したように、第２側面部２２と第２接合部２４とを連結する領域であり、第２外包材２０の情報を示す第２識別部２８を有するものにできる。なお、上述したように、第２外包材２０の第２側面部２２が、第１外包材１０の第１側面部１２と一体形成された場合、梱包部材１は、第２接合部２４及び第２屈曲部２６を有しないものとなる。したがって、第２外包材２０の第２側面部２２が、第１外包材１０の第１側面部１２と一体形成された場合は、梱包部材１は、第２識別部２８を有しないものにできる。
【００２５】
第２識別部２８は、例えば、第２接合部２４及び第２屈曲部２６に跨がった領域に形成された複数の第２識別情報領域２８ａに設けることができる。複数の第１識別情報領域１８ａは、例えば、升目印刷によって区画できる。この構成によれば、第２接合部２４に第２識別部２８が設けられる構成となり、梱包部材１の組立作業者が、第１外包材１０を第２接合部２４に接合する際に、組立作業者は、第２識別部２８を容易に視認できる。したがって、この構成によれば、組立作業時の確認工数を低減できるとともに、誤取付け等の作業ミスを低減することができる。
【００２６】
また、第２識別部２８は、図３に示すように、第２接合部２４、第２屈曲部２６、及び第２側面部２２の一部に跨がった領域に形成された複数の第２識別情報領域２８ａに設けることができる。この構成によれば、第２側面部２２の一部に第２識別部２８が設けられる構成となり、梱包作業者が、梱包部材１に被梱包物を収容する際に、第２識別部２８を容易に視認できる。したがって、この構成によれば、梱包作業時の確認工数を低減できるとともに、梱包ミス等を低減することができる。
【００２７】
第２識別部２８では、色彩、模様、又は色彩及び模様の組み合わせにより、複数の第２識別情報領域２８ａの少なくとも１つに、梱包部材１における被梱包物の種類等の第２外包材２０の情報を示すことができる。図３では、複数の第２識別情報領域２８ａのうち、領域Ａ２及び領域Ｂ３に色彩が付された例を示している。第２識別部２８では、模様としては、例えば、塗りつぶし、ドットパターン、ハッチング等を用いることができる。また、複数の第２識別情報領域２８ａの少なくとも１つに示された色彩、模様、又は色彩及び模様の組み合わせは、複数の第１識別情報領域１８ａの少なくとも１つに示された色彩、模様、又は色彩及び模様の組み合わせと異なるものにできる。このようにすることにより、第１外包材１０及び第２外包材２０に示された情報の差異を、視認により容易に確認できる。また、第１外包材１０及び第２外包材２０に示される情報パターンが増加するため、梱包部材１の情報の量を増加させることができる。
【００２８】
また、複数の第２識別情報領域２８ａには、文字又は数字を付加することができる。第２外包材２０では、数字又は文字を、全ての第２識別情報領域２８ａに印刷して、どこに色彩等が付されているかを判別し、第２外包材２０の情報を容易に特定できるようにしてもよい。また、第２外包材２０では、例えば、黒等の濃色の色彩等を付した第２識別情報領域２８ａに、白等の淡色の文字又は数字を印刷して、色彩等が付されている位置を判別し、第２外包材２０の情報を容易に特定できるようにしてもよい。
【００２９】
また、図３に示すように、複数の第２識別情報領域２８ａは、第２屈曲部２６の長手方向において、複数の識別情報群に分割して、異なる情報を識別できるようにしてもよい。例えば、複数の第２識別情報領域２８ａは、第１外包材１０と第２外包材２０とを識別する第３領域２８ａ１と、梱包部材１における被梱包物の種類等の第２外包材２０の情報を識別する第４領域２８ａ２とに分割できる。例えば、図３では、第３領域２８ａ１は、領域Ａ１、Ａ２を更に有している。また、図３では、第４領域２８ａ２は、領域Ｂ１〜Ｂ８を更に有している。複数の第２識別情報領域２８ａを複数の識別情報群に分割することにより、梱包部材１に関する識別可能な情報量を増加させることができる。
【００３０】
次に、本実施の形態の梱包部材１が折り畳まれた状態の構造について、図４及び図５を用いて説明する。図４は、本実施の形態に係る梱包部材１の折り畳み前の状態を概略的に示す斜視図である。図５は、本実施の形態に係る梱包部材１の折り畳み後の状態を第１屈曲部１６の側から見た一例を示した概略図である。
【００３１】
図４及び図５に示すように、梱包部材１は、第１識別部１８が少なくとも視認できるように、第１外包材１０の第１屈曲部１６及び第２外包材２０の第２屈曲部２６で折り畳まれ、平板形状にして保管される。図５に示すように、梱包部材１が折り畳まれた状態においては、第１外包材１０の第１屈曲部１６の側から、第１識別部１８が視認可能な状態となる。なお、図５においては、折り畳まれた状態の梱包部材１は、第１外包材１０の第１側面部１２が上方、第２外包材２０の第２側面部２２が下方となるように配置されている。しかしながら、折り畳まれた状態の梱包部材１の配置は、図５のような配置に限られず、第２外包材２０の第２側面部２２が上方、第１外包材１０の第１側面部１２が下方となるように配置してもよい。
【００３２】
図６は、本実施の形態に係る梱包部材１が折り畳まれて積み重ねられた状態を第１屈曲部１６の側から見た一例を示した概略図である。図６では、第１外包材１０の第１側面部１２が上方を向くように積み重ねられ、第１外包材１０の第１屈曲部１６が同一方向に向くように積み重ねられた図５と同種の複数の梱包部材１が示されている。梱包部材１は、梱包部材１の収容スペースを低減するため、図６のように積み重ねられた状態で、保管及び搬送される。
【００３３】
図６に示すように、図５と同種の複数の梱包部材１が、積み重ね方向の過誤もなく積み重ねられた場合、第１屈曲部１６の側から見ると、全ての第１識別部１８が一列に整列した状態で積み重ねられることが確認できる。
【００３４】
図７は、本実施の形態に係る梱包部材１が折り畳まれて積み重ねられた状態を第１屈曲部１６の側から見た別の一例を示した概略図である。図７では、図５の梱包部材１と異種の梱包部材１ａが、梱包部材１とともに積み重ねられた状態を示しており、一例として、２つの第２外包材２０が接合された梱包部材１と異種の梱包部材１ａが、梱包部材１とともに積み重ねられた状態を示している。
【００３５】
図７に示すように、異種の梱包部材１ａの第２識別部２８が、梱包部材１の第１識別部１８と同一方向となるように積み重ねられた場合、第１屈曲部１６の側から見ると、第１識別部１８と第２識別部２８とは異なる列に配置される。したがって、図７においては、第１識別部１８と第２識別部２８とは整列した状態とはならない。
【００３６】
図６及び図７においては、梱包部材１においては、第１外包材１０の第１屈曲部１６が第１識別部１８を有していることにより、梱包部材１が折り畳まれて積み重ねられた状態であっても、異種の梱包部材１ａが混入していないことを視認により容易に確認できる。したがって、梱包部材１が折り畳まれて積み重ねられた状態においても、不良品等の異種の梱包部材１ａが混在しているか否かを視認により容易に識別できる。また、梱包部材１では、品質検査を行う際に、積み上げられた各々の梱包部材１の第１識別部１８を、最上位の梱包部材１から順番に確認する作業が生じないため、出荷時、納品時、又は保管物確認時等の品質検査の工数を低減できる。以上のことから、梱包部材１において、第１外包材１０の第１屈曲部１６が、第１識別部１８を有していることにより、折り畳まれた梱包部材１が積み上げられた状態であっても、視認による梱包部材１の品質検査を容易に行うことができる。
【００３７】
また、上述したように、複数の第１識別情報領域１８ａを複数の識別情報群に分割した場合、第１屈曲部１６は、複数の第１識別部１８を有することとなる。したがって、複数の第１識別情報領域１８ａを複数の識別情報群に分割した場合、折り畳まれた梱包部材１が積み上げられた状態であっても、視認により梱包部材１の複数の異なる情報を識別することができる。例えば、図２及び図６に示すように、第１屈曲部１６にある複数の第１識別情報領域１８ａを、第１領域１８ａ１と、第２領域１８ａ２とに分割できる。この構成によれば、第１屈曲部１６にある第１領域１８ａ１の第１識別部１８、及び第１屈曲部１６にある第２領域１８ａ２の第１識別部１８により、複数の異なる情報を視認により識別できる。
【符号の説明】
【００３８】
１  梱包部材、１ａ  異種の梱包部材、１０  第１外包材、１２  第１側面部、１２ａ  第１折目部、１２ｂ  第１装飾面、１２ｃ  第２装飾面、１４  第１接合部、１６  第１屈曲部、１８  第１識別部、１８ａ  第１識別情報領域、１８ａ１  第１領域、１８ａ２  第２領域、２０  第２外包材、２２  第２側面部、２２ａ  第２折目部、２２ｂ  第３装飾面、２２ｃ  第４装飾面、２４  第２接合部、２６  第２屈曲部、２８  第２識別部、２８ａ  第２識別情報領域、２８ａ１  第３領域、２８ａ２  第４領域、Ａ１、Ａ２、Ｂ１、Ｂ２、Ｂ３、Ｂ４、Ｂ５、Ｂ６、Ｂ７、Ｂ８  領域。
【図１】
2020161790.tif 000003
【図２】
2020161790.tif 000004
【図３】
2020161790.tif 000005
【図４】
2020161790.tif 000006
【図５】
2020161790.tif 000007
【図６】
2020161790.tif 000008
【図７】
2020161790.tif 000009
【手続補正書】
【提出日】令和3年2月3日(2021.2.3)
【手続補正１】
【補正対象書類名】明細書
【補正対象項目名】０００６
【補正方法】変更
【補正の内容】
【０００６】
本発明の梱包部材は、箱状の側壁を形成する第１外包材及び第２外包材を有し、前記第１外包材は、前記側壁の外面の一部を形成する第１側面部と、前記第１側面部の一辺に配置され、前記第１外包材の情報を示す第１識別部を有する第１屈曲部と、前記第１屈曲部を介して前記第１側面部と連結された第１接合部とを備え、前記第２外包材は、前記第１側面部及び前記第１屈曲部と連続して前記第１接合部に接合されており、前記第２外包材は、前記側壁の外面の他の一部を形成する第２側面部を備え、前記第１識別部は、前記第１接合部、前記第１屈曲部、及び前記第１側面部の一部に跨がる領域に形成された複数の第１識別情報領域に設けられている。
【手続補正２】
【補正対象書類名】特許請求の範囲
【補正対象項目名】全文
【補正方法】変更
【補正の内容】
【特許請求の範囲】
【請求項１】
箱状の側壁を形成する第１外包材及び第２外包材を有し、
前記第１外包材は、
前記側壁の外面の一部を形成する第１側面部と、
前記第１側面部の一辺に配置され、前記第１外包材の情報を示す第１識別部を有する第１屈曲部と、
前記第１屈曲部を介して前記第１側面部と連結された第１接合部と
を備え、
前記第２外包材は、
前記第１側面部及び前記第１屈曲部と連続して前記第１接合部に接合されており、
前記第２外包材は、
前記側壁の外面の他の一部を形成する第２側面部
を備え、
前記第１識別部は、前記第１接合部、前記第１屈曲部、及び前記第１側面部の一部に跨がる領域に形成された複数の第１識別情報領域に設けられている
梱包部材。
【請求項２】
前記第１識別部では、色彩、模様、又は色彩及び模様の組み合わせにより、前記複数の第１識別情報領域の少なくとも１つに前記第１外包材の情報が示されている
請求項１に記載の梱包部材。
【請求項３】
前記複数の第１識別情報領域には、文字又は数字が付加されている
請求項１又は２に記載の梱包部材。
【請求項４】
前記第２側面部は、前記第１側面部と一体形成された
請求項１〜３のいずれか一項に記載の梱包部材。
【請求項５】
前記第２外包材は、
前記第２側面部の一辺に配置され、前記第２外包材の情報を示す第２識別部を有する第２屈曲部と、
前記第２屈曲部を介して、前記第２側面部と連結された第２接合部と
を更に備えた
請求項１に記載の梱包部材。
【請求項６】
前記第２識別部には、前記第２接合部及び前記第２屈曲部に跨がる領域に形成された複数の第２識別情報領域が設けられている
請求項５に記載の梱包部材。
【請求項７】
前記第２識別部には、前記第２接合部、前記第２屈曲部、及び前記第２側面部の一部に跨がる領域に形成された複数の第２識別情報領域が設けられている
請求項５に記載の梱包部材。
【請求項８】
前記第１識別部では、色彩、模様、又は色彩及び模様の組み合わせにより、前記複数の第１識別情報領域の少なくとも１つに前記第１外包材の情報が示されている
請求項６又は７に記載の梱包部材。
【請求項９】
前記第２識別部では、色彩、模様、又は色彩及び模様の組み合わせにより、前記複数の第２識別情報領域の少なくとも１つに前記第２外包材の情報が示されている
請求項８に記載の梱包部材。
【請求項１０】
前記複数の第２識別情報領域の少なくとも１つに付加された色彩、模様、又は色彩及び模様の組み合わせは、前記複数の第１識別情報領域の少なくとも１つに付加された色彩、模様、又は色彩及び模様の組み合わせと異なる
請求項９に記載の梱包部材。
【請求項１１】
前記複数の第１識別情報領域には、文字又は数字が付加されている
請求項６〜１０のいずれか一項に記載の梱包部材。
【請求項１２】
前記複数の第２識別情報領域には、文字又は数字が付加されている
請求項１１に記載の梱包部材。
【国際調査報告】
2020161790.tif 000010
2020161790.tif 000011
2020161790.tif 000012
2020161790.tif 000013